【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
情報提供者側又は店舗側が設けた特定の区画内に設置されて超音波を発振するビーコンと、該区画内に存在する携帯端末との間で超音波による通信を行う超音波通信システムであって、
前記ビーコンは、可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記情報提供者又は前記店舗の固有識別情報を含む一つのチャンネルの発信情報を出力し、該発信情報をアナログ信号に変換した後に超音波として前記区画内に送出する手段を有し、
前記携帯端末は、携帯マイクと、前記ビーコンから送出された超音波を該携帯マイクにより受信したときに、該受信した超音波を電気信号に変換して該電気信号において第１キャリア及び第２キャリアにより構成される一つのチャンネルを特定し、該特定したチャンネルの第１キャリア及び第２キャリアの時間軸上の音量レベルの相違に基づいて、前記固有識別情報を含む発信情報を前記携帯端末の存在確認用として復調する復調処理を実行する復調処理部とを有すること、
を特徴とする超音波通信システム。
【請求項２】
請求項１に記載の超音波通信システムにおいて、
複数の前記ビーコンが前記特定の区画内に設置され、
各ビーコンには、周波数の設定が異なる第１キャリア及び第２キャリアのペアが個別に割り当てられ、各ビーコンは、該割り当てられた第１キャリア及び第２キャリアの組み合わせにより、前記固有識別情報を含む一つのチャンネルの発信情報を出力して、該発信情報をアナログ信号に変換した後に超音波として前記区画内に送出し、
前記復調処理部は、各ビーコンから送出される超音波の発信情報のうち、前記携帯端末に備えられたマイクの周波数特性に適合した超音波の発信情報を受信すると共に、該受信した超音波の発信情報に対して前記復調処理を実行すること、
を特徴とする超音波通信システム。
【請求項３】
請求項１に記載の超音波通信システムにおいて、
前記ビーコンは、周波数の設定が異なる複数の第１キャリアと第２キャリアとのペアを用いて、複数のチャンネル分の前記発信情報を出力して、各チャンネルの発信情報をアナログ信号に変換した後に超音波として前記区画内に送出し、
前記復調処理部は、前記ビーコンから送出される複数のチャンネルの超音波の発信情報のうち、前記携帯端末のマイクの周波数特性に適合したチャンネルの超音波の発信情報を受信して、該受信した超音波の発信情報に対して前記復調処理を実行すること、
を特徴とする超音波通信システム。
【請求項４】
請求項１から請求項３のうちのいずれか１項に記載の超音波通信システムにおいて、
前記携帯端末は、インターネットを介してサーバからインターネット情報を取得する手段と、該取得したインターネット情報を超音波としてスピーカから出力する手段とを有し、
前記ビーコンは、マイクと、前記携帯端末のスピーカから出力される超音波のインターネット情報を該マイクにより受信することによって、前記サーバから提供されるインターネット情報を、前記携帯端末を経由して取得する手段とを有すること、
を特徴とする超音波通信システム。
【請求項５】
請求項４に記載の超音波通信システムにおいて、
複数の前記ビーコンが前記特定の区画内に設置され、
前記携帯端末を介してサーバからインターネット情報を取得したビーコンは、該インターネット情報を超音波によりスピーカから出力し、他のビーコンが該超音波によるインターネット情報をマイクにより受信することによって、複数のビーコン間で該インターネット情報を伝送すること、
を特徴とする超音波通信システム。
【請求項６】
請求項１から請求項５のうちのいずれか１項に記載の超音波通信システムにおいて、
前記復調処理部は、前記携帯端末の携帯マイクにより受信した前記超音波の発信情報に対して、前記第１キャリア及び第２キャリアに対する高速フーリエ変換処理、時間軸上へのマッピング処理、及び第１キャリアと第２キャリアの音量レベルに対するパターンの比較演算処理を行うことにより、前記固有識別情報を含む発信情報を前記携帯端末の存在確認用として復調すること、
を特徴とする超音波通信システム。
【請求項７】
請求項１から請求項６のうちのいずれか１項に記載の超音波通信システムにおいて、
前記特定の区画は、店舗側が設けた売場であることを特徴とする超音波通信システム。
【請求項８】
情報提供者側又は店舗側が設けた特定の区画内に設置されて超音波を発振するビーコンと、該区画内に存在する携帯端末との間で超音波による通信を行う超音波通信システムで使用されるビーコンであって、
可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記情報提供者又は前記店舗の固有識別情報を含む一つのチャンネルの発信情報を出力し、該発信情報をアナログ信号に変換した後に超音波として前記区画内に送出する手段を有すること、
を特徴とするビーコン。
【手続補正２】
【補正対象書類名】明細書
【補正対象項目名】発明の名称
【補正方法】変更
【補正の内容】
【発明の名称】超音波通信システム及びビーコン
【手続補正３】
【補正対象書類名】明細書
【補正対象項目名】０００１
【補正方法】変更
【補正の内容】
【０００１】
本発明は、ビーコン、携帯端末を利用する超音波通信システムに関し、詳しくは、超音波を発振するビーコンと、スマートフォン・携帯電話等の携帯端末とを利用した簡略で優れた通信性能を有する超音波通信システム、及び超音波通信システムで使用されるビーコンに関するものである。
【手続補正４】
【補正対象書類名】明細書
【補正対象項目名】０００４
【補正方法】変更
【補正の内容】
【０００４】
（制約１）マイクがもつ周波数特性
携帯端末には様々な機種が存在し、また日々新機種が市場に投入されるため、すべての携帯端末の機種についてその都度テストすることは大きな費用負担となり、携帯端末固有の事情に依存しないプログラムによりこれを回避することは非常に重要である。
【手続補正５】
【補正対象書類名】明細書
【補正対象項目名】０００５
【補正方法】変更
【補正の内容】
【０００５】
特に、スマートフォン向けアプリケーションにおいては、アプリケーションを提供する場（Ａｐｐ  Ｓｔｏｒｅ（登録商標）やＡｎｄｒｏｉｄ（登録商標）  Ｍａｒｋｅｔなど）は携帯端末の機種別に分かれておらず、１種類のプログラムで複数機種の携帯端末（将来発売される新機種の携帯端末を含む）に対応することが必要となる。
【手続補正６】
【補正対象書類名】明細書
【補正対象項目名】０００６
【補正方法】変更
【補正の内容】
【０００６】
ここで、携帯端末に組み込まれているマイクには、周波数特性（周波数別の感度）が存在し、特に可聴域外にある高音域（概ね１８ｋＨｚ以上）の特性には携帯端末の機種ごとに大きなばらつきが存在する。
【手続補正７】
【補正対象書類名】明細書
【補正対象項目名】０００７
【補正方法】変更
【補正の内容】
【０００７】
そして、携帯端末の周波数特性がわからない状態で、音量（音圧レベルの意。以下同様）を測定することは難しい。
【手続補正８】
【補正対象書類名】明細書
【補正対象項目名】０００８
【補正方法】変更
【補正の内容】
【０００８】
そのため、携帯端末の機種ごとに存在するマイクの周波数特性のばらつきは、携帯端末の機種を問わずに使える１種類のプログラムにより同一基準で音量（音圧レベルの意。以下同様）を測定することを難しくしている。
【手続補正９】
【補正対象書類名】明細書
【補正対象項目名】０００９
【補正方法】変更
【補正の内容】
【０００９】
すなわち、ある周波数の音をある一定の音量でビーコンから出力しても、測定する携帯端末の機種が異なると（組み込まれているマイクの周波数特性が異なるので）、測定される音量は異なるからである。
【手続補正１０】
【補正対象書類名】明細書
【補正対象項目名】００１２
【補正方法】変更
【補正の内容】
【００１２】
（制約２）環境雑音、バックグラウンドノイズ
ネズミ除け、ゴキブリ除け、若者がたむろすることを防ぐモスキート音、デジタルサイネージ、電気製品など、店舗周辺には様々な高音域の雑音が存在する。ほとんどの雑音は、特定の高さ（特定の周波数）において一定の音量で発生する。
事前に当該店舗周辺でどのような雑音が存在するかを測定するのは大きな費用負担となり、またその環境は刻々と変化するため、どのような周波数帯の雑音があっても、影響されにくい通信の方式が必要となる。
【手続補正１１】
【補正対象書類名】明細書
【補正対象項目名】００１８
【補正方法】変更
【補正の内容】
【００１８】
（従来技術）
特許文献１には、店舗側で、ビーコンにより複数の周波数の信号を一定の音量で出力する。その周波数の組み合わせが店舗固有のものになっており、携帯端末においてビーコンからの複数の周波数の信号を受信し、どの周波数が出ているかによって当該店舗を特定するように構成した存在検知の方法及びシステムが提案されている。
【手続補正１２】
【補正対象書類名】明細書
【補正対象項目名】００２４
【補正方法】変更
【補正の内容】
【００２４】
本発明が解決しようとする問題点は、個々の携帯端末のマイクがもつ周波数特性の相違を考慮し、環境雑音の影響や携帯端末自体の所在位置の移動によるドップラー効果の影響も無く、更に、携帯端末の使用者に対して不要な音の聴取による不安感を生じさせることもなく、しかも、簡略構成で優れた通信性能を発揮するようなビーコン及び携帯端末を利用する超音波通信システムが存在しない点である。
【手続補正１３】
【補正対象書類名】明細書
【補正対象項目名】００２５
【補正方法】変更
【補正の内容】
【００２５】
本発明は、上記課題を解決するためになされたものであり、情報提供者側又は店舗側が設けた特定の区画内に設置されて超音波を発振するビーコンと、該区画内に存在する携帯端末との間で超音波による通信を行う超音波通信システムに関する。
そして、本発明の超音波通信システムは、
前記ビーコンは、可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記情報提供者又は前記店舗の固有識別情報を含む一つのチャンネルの発信情報を出力し、該発信情報をアナログ信号に変換した後に超音波として前記区画内に送出する手段を有し、
前記携帯端末は、携帯マイクと、前記ビーコンから送出された超音波を該携帯マイクにより受信したときに、該受信した超音波を電気信号に変換して該電気信号において第１キャリア及び第２キャリアにより構成される一つのチャンネルを特定し、該特定したチャンネルの第１キャリア及び第２キャリアの時間軸上の音量レベルの相違に基づいて、前記固有識別情報を含む発信情報を前記携帯端末の存在確認用として復調する復調処理を実行する復調処理部とを有することを最も主要な特徴とする。
【手続補正１４】
【補正対象書類名】明細書
【補正対象項目名】００２６
【補正方法】変更
【補正の内容】
【００２６】
かかる本発明によれば、携帯端末の復調処理部は、第１キャリア及び第２キャリアの時間軸上の音量レベルの相違に基づいて、前記固有識別情報を含む発信情報を携帯端末の存在確認用として復調する。そのため、前記区画内に存在する個々の携帯端末のマイクがもつ周波数特性の相違、環境雑音の影響、携帯端末の所在位置の移動によるドップラー効果の影響が無い。また、ビーコンは、第１キャリアと第２キャリアのアクティブ領域が交互となる（時間軸上で、第１キャリアが出力されている間は、第２キャリアは出力せず（或いは音量を絞り）、第２キャリアが出力されている間は、第１キャリアは出力しない）態様による発信情報を、アナログ信号に変換した後に超音波として前記区画内に送出する。この場合、出力される超音波は周波数全域で見た音量が一定となるため、人の耳に聞こえ難いことから、人に不安感を与えることはなく、心理的な抵抗感や不安感を取り除くことができる。このように、本発明によれば、簡略構成でありながら情報又は商品の提供者側のビーコンと、携帯端末との間で優れた通信性能を発揮する超音波通信システムを実現し提供することができる。
【手続補正１５】
【補正対象書類名】明細書
【補正対象項目名】００２７
【補正方法】変更
【補正の内容】
【００２７】
また、本発明において、
複数の前記ビーコンが前記特定の区画内に設置され、
各ビーコンには、周波数の設定が異なる第１キャリア及び第２キャリアのペアが個別に割り当てられ、各ビーコンは、該割り当てられた第１キャリア及び第２キャリアの組み合わせにより、前記固有識別情報を含む一つのチャンネルの発信情報を出力して、該発信情報をアナログ信号に変換した後に超音波として前記区画内に送出し、
前記復調処理部は、各ビーコンから送出される超音波の発信情報のうち、前記携帯端末に備えられたマイクの周波数特性に適合した超音波の発信情報を受信すると共に、該受信した超音波の発信情報に対して前記復調処理を実行することが好ましい。
この構成によれば、前記区画内に設置された複数のビーコンから、異なる周波数をもった複数のチャンネルの超音波の発信情報が送出される。そして、前記区画内に存在する携帯端末の復調処理部は、携帯端末のマイクの周波数特性に適合したチャンネルの超音波の発信情報を受信することにより、個々の携帯端末のマイクにおける周波数特性の相違を乗り越えて、顧客（携帯端末を所持して前記区画を訪れた人）に対して高品質の情報配信を行うことができる超音波通信システムを実現し提供することができる。
【手続補正１６】
【補正対象書類名】明細書
【補正対象項目名】００２８
【補正方法】変更
【補正の内容】
【００２８】
また、本発明において、
前記ビーコンは、周波数の設定が異なる複数の第１キャリアと第２キャリアとのペアを用いて、複数のチャンネル分の前記発信情報を出力して、各チャンネルの発信情報をアナログ信号に変換した後に超音波として前記区画内に送出し、
前記復調処理部は、前記ビーコンから送出される複数のチャンネルの超音波の発信情報のうち、前記携帯端末のマイクの周波数特性に適合したチャンネルの超音波の発信情報を受信して、該受信した超音波の発信情報に対して前記復調処理を実行することが好ましい。
この構成によれば、１台のビーコンから、周波数の異なる複数の第１キャリアと第２キャリアのペアを用いて出力した複数のチャンネル分の発信情報を、アナログ信号に変換した後に前記区画内に送出する。そして、携帯端末の復調処理部は、携帯端末のマイクの周波数特性に適合したチャンネルの超音波の発信情報を受信することにより、個々の携帯端末のマイクにおける周波数特性の相違を乗り越えて、それぞれの顧客（携帯端末を所持して前記区画を訪れた人）に対して、高品質の情報配信を行うことができる超音波通信システムを実現し提供することができる。
【手続補正１７】
【補正対象書類名】明細書
【補正対象項目名】００２９
【補正方法】変更
【補正の内容】
【００２９】
また、本発明において、
前記携帯端末は、インターネットを介してサーバからインターネット情報を取得する手段と、該取得したインターネット情報を超音波としてスピーカから出力する手段とを有し、
前記ビーコンは、マイクと、前記携帯端末のスピーカから出力される超音波のインターネット情報を該マイクにより受信することによって、前記サーバから提供されるインターネット情報を、前記携帯端末を経由して取得する手段とを有することが好ましい。
この構成によれば、前記区画内においてビーコンを使用して、顧客側の携帯端末のインターネット環境を利用した間接的、且つ、簡略なネットワークを構成することが可能になり、情報又は商品の提供者側で、インターネットに接続しなくとも、サーバからメンテナンスやアップデート等のインターネット情報を取得して、ビーコンのメンテナンス、アップデート等を実行することができ、大幅なコストダウン及び省力化、省スペース化に寄与する超音波通信システムを実現し提供することができる。
【手続補正１８】
【補正対象書類名】明細書
【補正対象項目名】００３０
【補正方法】変更
【補正の内容】
【００３０】
また、本発明において、
複数の前記ビーコンが前記特定の区画内に設置され、
前記携帯端末を介してサーバからインターネット情報を取得したビーコンは、該インターネット情報を超音波によりスピーカから出力し、他のビーコンが該超音波によるインターネット情報をマイクにより受信することによって、複数のビーコン間で該インターネット情報を伝送することが好ましい。
この構成によれば、いずれかのビーコンで受信したインターネット情報を、他のビーコン送信することが可能になる。
【手続補正１９】
【補正対象書類名】明細書
【補正対象項目名】００３１
【補正方法】変更
【補正の内容】
【００３１】
また、本発明において、
前記復調処理部は、前記携帯端末の携帯マイクにより受信した前記超音波の発信情報に対して、前記第１キャリア及び第２キャリアに対する高速フーリエ変換処理、時間軸上へのマッピング処理、及び第１キャリアと第２キャリアの音量レベルに対するパターンの比較演算処理を行うことにより、前記固有識別情報を含む発信情報を前記携帯端末の存在確認用として復調することが好ましい。
また、本発明において、
前記提供者は店舗において商品を提供し、前記特定の区画は該店舗の売場内に設定されることが好ましい。
次に、本発明のビーコンは、情報提供者側又は店舗側が設けた特定の区画内に設置されて超音波を発振するビーコンと、該区画内に存在する携帯端末との間で超音波による通信を行う超音波通信システムで使用されるビーコンであって、
可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記情報提供者又は前記店舗の固有識別情報を含む一つのチャンネルの発信情報を出力し、該発信情報をアナログ信号に変換した後に超音波として前記区画内に送出する手段を有することを特徴とする。
【手続補正２０】
【補正対象書類名】明細書
【補正対象項目名】００３２
【補正方法】変更
【補正の内容】
【００３２】
【図１】図１は本発明の実施例１に係る超音波通信システムの全体構成を示す概略ブロック図である。
【図２】図２は本発明の実施例１に係る超音波通信システムのビーコンの設置状態を示す説明図である。
【図３】図３は本発明の実施例１に係る超音波通信システムの店舗側のコンピュータ装置及びビーコンの概略ブロック図である。
【図４】図４は本発明の実施例１に係る超音波通信システムの携帯端末、インターネット、サーバの概略ブロック図である。
【図５】図５は本発明の実施例１に係る超音波通信システムの処理の流れを示す概略説明図である。
【図６】図６は本発明の実施例１に係る超音波通信システムにおける第１キャリア、第２キャリアの時間軸上の波形図である。
【図７】図７は本発明の実施例２に係る超音波通信システムのビーコンの設置状態を示す説明図である。
【図８】図８は本発明の実施例２に係る超音波通信システムの店舗側のコンピュータ装置及びビーコンの概略ブロック図である。
【図９】図９は本発明の実施例３に係る超音波通信システムのビーコンの設置状態を示す説明図である。
【図１０】図１０は本発明の実施例３に係る超音波通信システムのビーコンの概略ブロック図である。
【図１１】図１１は本発明の実施例４に係る超音波通信システムの全体構成を示す概略ブロック図である。
【図１２】図１２は本発明の実施例４に係る超音波通信システムのビーコンの概略ブロック図である。
【手続補正２１】
【補正対象書類名】明細書
【補正対象項目名】００３３
【補正方法】変更
【補正の内容】
【００３３】
本発明は、個々の携帯端末のマイクがもつ周波数特性の相違を考慮し、環境雑音の影響や携帯端末自体の所在位置の移動によるドップラー効果の影響も無く、更に、聴覚の不要な音の聴取による不安感を生じさせることもなく、しかも、簡略構成で優れた通信性能を発揮する例えば店舗等に設置して好適なビーコン、携帯端末を利用する超音波通信システムを提供することを目的とする。
そして、本発明は、この目的を、情報又は商品の提供者により設けられた特定の区画内に設置されて超音波を発振するビーコンと、当該区画内に存在する携帯端末との間で通信を行う超音波通信システムであって、前記ビーコンは、可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記提供者の固有識別情報を含む一つのチャンネルの発信情報を出力し、該発信情報をアナログ信号に変換した後に超音波として前記区画内に送出し、前記携帯端末は、前記ビーコンから送出された超音波を受信したときに該受信した超音波を電気信号に変換し、該電気信号において第１キャリア及び第２キャリアにより構成される一つのチャンネルを特定し、該特定したチャンネルの第１キャリア及び第２キャリアの時間軸上の音量レベルの相違に基づいて、前記固有識別情報を含む発信情報を前記携帯端末の存在確認用として復調する復調処理を実行する復調処理部を有する構成により実現した。
【手続補正２２】
【補正対象書類名】明細書
【補正対象項目名】００３５
【補正方法】変更
【補正の内容】
【００３５】
本実施例１に係る超音波通信システム１について、図１乃至図６を参照して説明する。
本実施例１に係る超音波通信システム１は、例えば、小売店、量販店のような店舗側のコンピュータ装置２に接続されて、図２に示すように、店舗側が一つのフロアに設けた売場３（本発明の特定の区画に相当する）内の例えば天井４に配置され、前記店舗側のコンピュータ装置２に接続された超音波を発振するビーコン５と、個々の顧客が保持し、前記ビーコン５と交信する例えばスマートフォン等の携帯端末６とを含んで構成される。顧客が自己の携帯端末６を操作して、インターネット情報を取得するためのインターネット網Ｎに無線接続することで、サーバ７からこのインターネット網Ｎを通じて前記携帯端末６にインターネット情報が配信される。
【手続補正２３】
【補正対象書類名】明細書
【補正対象項目名】００４１
【補正方法】変更
【補正の内容】
【００４１】
また、０，１の組み合わせにより表されるデジタル信号（ビット列）には、実際の店舗の固有識別情報を流すボディー部のほかに、ヘッダーや暗号鍵、誤り検出訂正信号を含めることもできる。
【手続補正２４】
【補正対象書類名】明細書
【補正対象項目名】００４４
【補正方法】変更
【補正の内容】
【００４４】
第１キャリアと第２キャリアの周波数の差は、個々のユーザの携帯端末６が保有する一つの機能であるＦＦＴ（高速フーリエ変換）の分解能が許す限りなるべく小さな差となるように設定されている。
【手続補正２５】
【補正対象書類名】明細書
【補正対象項目名】００４８
【補正方法】変更
【補正の内容】
【００４８】
前記ＤＡ変換部２４は、第１キャリアと第２キャリアの各周波数の信号の組み合わせとしての発信情報をアナログデータに変調する（ＤＡ変換：デジタル／アナログ変換）。
【手続補正２６】
【補正対象書類名】明細書
【補正対象項目名】００５８
【補正方法】変更
【補正の内容】
【００５８】
次に比較演算部は、マッピングデータを元に、周波数同士が交互に対になって出現し、かつ、周波数同士の間隔が、第１キャリアと第２キャリア間の定数と一致する１組の周波数を特定し、低い方を第１キャリア、高い方を第２キャリアとして同定する。
【手続補正２７】
【補正対象書類名】明細書
【補正対象項目名】００５９
【補正方法】変更
【補正の内容】
【００５９】
これにより、ビーコン５がどのチャンネルを使用しているのか特定される（この場合には、第１キャリア（１９０００Ｈｚ）、第２キャリア（１９０５０Ｈｚ）から構成される一つのチャンネルである）。
【手続補正２８】
【補正対象書類名】明細書
【補正対象項目名】００６２
【補正方法】変更
【補正の内容】
【００６２】
復号処理部は、比較演算部の演算結果により、店舗の固有識別番号を「０１０１０１」として複合する。すなわち、店舗の固有識別番号を前記顧客の存在確認用として割り出す。
次に、携帯端末６を保持する顧客は、自己の携帯端末６を操作し、インターネット網Ｎを介してサーバ７に問い合わせ、サーバ７から配信された当該店舗情報とビーコンからの受信内容により割り出した店舗の固有識別番号とを例えば表示部に表示して照合する。
【手続補正２９】
【補正対象書類名】明細書
【補正対象項目名】００６５
【補正方法】変更
【補正の内容】
【００６５】
本実施例１によれば、可聴周波数外の超音波を使用してビーコン５、携帯端末６の交信を行うように構成したものであり、この場合は超音波は周波数全域でみた音量は一定のため、人（顧客、従業員）の耳に聞こえにくいことから、人に不安感を与えることは無く、心理的な抵抗感や不安感を取り除くことができる。また，より正確な位置情報に基づく精度の高い情報配信が安定した状態で実行可能となる超音波通信システム１を提供することができる。
【手続補正３０】
【補正対象書類名】明細書
【補正対象項目名】００６７
【補正方法】変更
【補正の内容】
【００６７】
更に、本実施例１におけるビーコン５と携帯端末６間の交信においては、携帯端末６において、第１キャリア、第２キャリアの時間軸上の音量レベルに対応するパターンの比較による復調処理を行うことから、ネズミ除け、ゴキブリ除け、若者のたむろ防止のモスキート音、眼鏡等の超音波洗浄機、デジタルサイネージや電子機器等から発生する環境雑音と混信するようなことはなく、環境雑音に強く、安定的な通信を確保できる超音波通信システムを構築できる。
【手続補正３１】
【補正対象書類名】明細書
【補正対象項目名】００７０
【補正方法】変更
【補正の内容】
【００７０】
本実施例２に係る超音波通信システム１Ａは、実施例１の構成に替えて、店舗側が一つのフロアに設けた売場３内の例えば天井４に超音波を発振する２台のビーコン５Ａ、５Ｂを配置したこと、及び、二つのビーコン５Ａ、５Ｂ各々の二つのキャリア（第１キャリア及び第２キャリアのペア）の周波数を個々のチャンネル（第１のチャンネル、第２のチャンネル）別に可聴域外の周波数帯域で異ならせて、個別に割り当てた構成とし、前記各ビーコンから、個々のチャンネル別に同じ発信情報を売場内に同時に発信する構成としたことが特徴である。
【手続補正３２】
【補正対象書類名】明細書
【補正対象項目名】００７３
【補正方法】変更
【補正の内容】
【００７３】
すなわち、一方のビーコン５Ａにおいては、第１のチャンネルとして、第１キャリアの周波数を１９０００Ｈｚ、第２キャリアの周波数を１９０５０Ｈｚとし、他方のビーコン５Ｂにおいては、第２のチャンネルとして、第１キャリアの周波数を１９５００Ｈｚ、第２キャリアの周波数を１９５５０Ｈｚとし、第１のチャンネル、第２のチャンネル間の周波数間隔を十分に大きく（５００Ｈｚ）とった構成としている。
【手続補正３３】
【補正対象書類名】明細書
【補正対象項目名】００７４
【補正方法】変更
【補正の内容】
【００７４】
本実施例２に係る超音波通信システム１Ａの前記ビーコン５と携帯端末６間の交信動作は、実施例１の場合と同様であるが、実施例１の場合と同様な効果を発揮する。
【手続補正３４】
【補正対象書類名】明細書
【補正対象項目名】００７９
【補正方法】変更
【補正の内容】
【００７９】
本実施例３に係る超音波通信システム１Ｂは、図９、図１０に示すように、一つのビーコン５から、実施例２で述べたような周波数が異なる第１のチャンネル、第２のチャンネルの二つの超音波の信号を携帯端末６に向けて送出するように構成したことが特徴である。
ビーコン５における第１キャリアの周波数を１９０００Ｈｚ、第２キャリアの周波数を１９０５０Ｈｚとし、第２のチャンネルとして、第１キャリアの周波数を１９５００Ｈｚ、第２キャリアの周波数を１９５５０Ｈｚとしている。
【手続補正３５】
【補正対象書類名】明細書
【補正対象項目名】００８０
【補正方法】変更
【補正の内容】
【００８０】
本実施例３に係る超音波通信システム１Ｂによれば、実施例１の場合と同様な作用効果を奏するとともに、図９に示すように、一つのビーコン５から、周波数が異なる第１、第２のチャンネルの二つの超音波の信号を携帯端末６に向けて送出することで、携帯端末６の技術的な制約１（マイクがもつ周波数特性の違い）を乗り越え、個々の携帯端末６に最適なチャンネルにおいてシグナルを受け取ることができる（冗長化）超音波通信システム１を提供することができる。
【手続補正３６】
【補正対象書類名】明細書
【補正対象項目名】００８３
【補正方法】変更
【補正の内容】
【００８３】
本実施例４に係る超音波通信システム１Ｃは、実施例２の場合と同様に売場３内の例えば天井４に超音波を発振する例えば２台（複数台）のビーコン５Ａ、５Ｂを配置したこと、また、ビーコン５Ａ、５Ｂにおいては、実施例２の場合の構成に加えて、マイク２６及びスピーカ２７を増設したことが特徴である。
【手続補正３７】
【補正対象書類名】明細書
【補正対象項目名】００８６
【補正方法】変更
【補正の内容】
【００８６】
すなわち、ビーコン５Ａ、５Ｂ同士（ビーコン５Ａ，５Ｂ間）の超音波通信によるネットワークに、ユーザの携帯端末を参加させることで、間接的にインターネット網に接続することができる。
【手続補正３８】
【補正対象書類名】明細書
【補正対象項目名】００９３
【補正方法】変更
【補正の内容】
【００９３】
本発明は、上述した店舗等における店舗側と顧客の携帯端末との通信に適用する場合の他、例えば携帯端末を保持した多数の出席者が集合する会議場等における個々の出席者の存在確認、イベント会場等における携帯端末を保持した多数のユーザの存在確認等の、情報提供者側と出席者が保持する携帯端末間の通信用途にも広範囲に適用できる。
【手続補正３９】
【補正対象書類名】図面
【補正対象項目名】図５
【補正方法】変更
【補正の内容】
【図５】
2013141054.tif 000001
【手続補正４０】
【補正対象書類名】図面
【補正対象項目名】図１０
【補正方法】変更
【補正の内容】
【図１０】
2013141054.tif 000002